(57)【要約】【課題】    本発明は、寒冷地に適する碍子の洗浄を可能とする碍子洗浄装置を提供することにある。【解決手段】    本発明は、複数段に分けて設置された碍子列１０，１１を所定間隔毎に複数列設置してなる碍子群１０，１１を洗浄する碍子洗浄装置において、上記各碍子列１０，１１毎に対して洗浄水を噴射して上記各碍子列１０，１１の碍子を洗浄できる位置に配設した複数のスプレーノズル２０，２１と、洗浄水タンク３内の洗浄水を揚水してスプレーノズル２０，２１側へ供給するためのポンプ装置４０，４１と、このポンプ装置４０，４１と各スプレーノズル２０，２１との間に配設している配管５に設けている複数の電磁弁６０，６１，６２，６３とよりなり、上記スプレーノズル２０，２１からの洗浄水を強風低温時に、洗浄間隔を短時間に連続的に運転を行い洗浄し、碍子の汚染を防止させることを特徴とする。【選択図】  図１
2007042523.tif 000002
【特許請求の範囲】
【請求項１】
複数段に分けて設置された碍子列を所定間隔毎に複数列設置してなる碍子群を洗浄する碍子洗浄装置において、
上記各碍子列毎に対して洗浄水を噴射して上記各碍子列の碍子を洗浄できる位置に配設した複数のスプレーノズルと、洗浄水タンク内の洗浄水を揚水してスプレーノズル側へ供給するためのポンプ装置と、このポンプ装置と各スプレーノズルとの間に配設している配管に設けている複数の電磁弁とよりなり、
上記スプレーノズルからの洗浄水を強風低温時に、洗浄間隔を短時間に連続的に運転を行い洗浄し、碍子の汚染を防止させることを特徴とする碍子洗浄装置。  
【請求項２】
洗浄間隔休止期間を１〜５分に設定して、洗浄を継続的に運転を行うことを特徴とする請求項１記載の碍子洗浄装置。
【請求項３】
複数段に分けて設置された碍子列を所定間隔毎に複数列設置してなる碍子群を洗浄する碍子洗浄装置において、
上記各碍子列毎に対して洗浄水を噴射して上記各碍子列の碍子を洗浄できる位置に配設した複数のスプレーノズルと、洗浄水タンク内の洗浄水を揚水してスプレーノズル側へ供給するためのポンプ装置と、このポンプ装置と各スプレーノズルとの間に配設している配管に設けている複数の電磁弁と、洗浄水タンクとポンプ装置との間に、電磁弁を介し接続する温水配管とよりなり、
上記スプレーノズルからの洗浄水を強風低温時に、洗浄水の洗浄に加えて、全洗浄時間、或いは洗浄時間の一部の時間に温水配管の電磁弁を開き、温水を加えた洗浄運転を行い、碍子の汚染を防止させることを特徴とする碍子洗浄装置。  
【請求項４】
請求項３記載の碍子洗浄装置において、ポンプ装置に接続する温水導入配管内に、温水流量を調整する流量調整弁を設けることを特徴とする碍子洗浄装置。
【請求項５】
複数段に分けて設置された碍子列を所定間隔毎に複数列設置してなる碍子群を洗浄する碍子洗浄装置において、
上記各碍子列毎に対して洗浄水を噴射して上記各碍子列の碍子を洗浄できる位置に配設した複数のスプレーノズルと、ポンプ装置より各スプレーノズル側の配管の適宜位置に、このポンプ装置と各スプレーノズルとの間に配設している配管に設けている複数の電磁弁と、ポンプ装置と各スプレーノズルとの間に配設している配管に設けている複数の電磁弁との間に、電磁弁を介し接続する圧縮空気導入配管よりなり、
上記スプレーノズルからの洗浄水を強風低温時に、碍子の洗浄工程終了時に圧縮空気導入配管から圧縮空気を管内に導入し、各スプレーノズルより圧縮空気を排出させることを特徴とする碍子洗浄装置。  
【発明の詳細な説明】
【技術分野】
【０００１】
本発明は、発電所、開閉所、変電所などの電力施設に於いて、屋外で使用する碍子を、スプレーノズルで効率的に洗浄して塩害汚損を防止する碍子の洗浄装置に係り、特に寒冷地の使用に適する碍子洗浄装置に関するものである。
【背景技術】
【０００２】
発電所に冷却水等の設備の関係から、一般に海岸に近い場所に設置される場合が多く、屋外設置碍子 （とくに、７７ＫＶ以上）を有する事業所の塩害汚損地区での変電設備においては、季節風や台風によって、海からの塩水が強風で巻き上げられることにより、碍子等に付着して、絶縁不良事故を生じることがある。
このような絶縁不良事故などの塩害事故防止をはかるため、通常、発電所や変電所などの電力施設では、一般的には固定式スプレー装置、水幕スプレー装置或いはジェット洗浄装置の洗浄装置を使用している。
【０００３】
固定式スプレー装置は、洗浄対象となる碍子の周囲に複数のスプレーノズルを固定して設置し、これら複数のスプレーノズルからの洗浄水の噴射により、各碍子を洗浄する構成となっている。
また、水幕スプレー装置は、洗浄すべき碍子の風上側に複数のスプレーノズルをノズル先端が真上を向くようにして設置し、このスプレーノズルから噴射した洗浄水によって垂直方向に水幕を形成し、この水幕が強風に流されることによって、碍子に雨水の如く降り注ぐことによって、碍子を洗浄する構成となっている。
さらに、ジェット洗浄装置は、洗浄水をジェット噴射させるためのジェット噴射ノズルを人手によって操作することにより、各碍子を洗浄する構成である。
【０００４】
碍子洗浄装置として、強風下に優れた洗浄効果を得るものとして、例えば、特許文献１の特開平１１−２３２９４５号公報に記載された技術がある。この技術は、前記固定式スプレー装置と水幕スプレー装置を併せて設けた構成で、少ない洗浄水で効率的に洗浄を行うものである。
また、特許文献２の特開２００１−２６６６８３号公報に記載された技術では、碍子を取り巻くように昇降装置付きの碍子洗浄装置が設けられている。そしてこの洗浄装置には、乾燥用エアーノズルが設けてあり、洗浄後碍子を乾燥させることができる構成となっている。
以上のように、従来は、上記の洗浄装置のいずか単独か、もしくはこれらの洗浄装置の組み合わせにより、塩害汚損度をパイロット碍子により、汚染状況を監視し、定期的もしくは臨時に碍子の洗浄をおこない、碍子に付着する塩分を洗浄することで、塩害による碍子の地絡・短絡事故の防止をはかっている。
【０００５】
【特許文献１】特開平１１−２３２９４５号公報
【特許文献２】特開平２００１−２６６６８３号公報
【発明の開示】
【発明が解決しようとする課題】
【０００６】
上記背景技術で述べたように、従来の碍子洗浄装置は、台風等の強風時等について塩害汚染の防止をすることができるが、日本海側、或いは北海道等の寒冷地において、冬期間に碍子の洗浄をそのまま使用した場合には、下記の等の課題がある。
即ち、碍子洗浄装置により洗浄に用いた洗浄水が、低温下で使用した場合には、碍子の洗浄を行う碍子洗浄用ノズルが凍結してしまう場合があり、洗浄水の放出不能となり、碍子を洗浄することが出来なくなる場合があった。
本発明は、上述した問題点を解決するために創案されたものである。すなわち本発明の目的は、寒冷地に適する碍子の洗浄を可能とする碍子洗浄装置を提供することにある。
【課題を解決するための手段】
【０００７】
本発明は、複数段に分けて設置された碍子列を所定間隔毎に複数列設置してなる碍子群を洗浄する碍子洗浄装置において、上記各碍子列毎に対して洗浄水を噴射して上記各碍子列の碍子を洗浄できる位置に配設した複数のスプレーノズルと、洗浄水タンク内の洗浄水を揚水してスプレーノズル側へ供給するためのポンプ装置と、このポンプ装置と各スプレーノズルとの間に配設している配管に設けている複数の電磁弁とよりなり、上記スプレーノズルからの洗浄水を強風低温時に、洗浄間隔を短時間に連続的に運転を行い洗浄し、碍子の汚染を防止させることを特徴とする。
また、請求項２記載の発明は、洗浄間隔休止期間を１〜５分に設定して、洗浄を継続的に運転を行うことを特徴とする。
【０００８】
請求項３記載の発明は、複数段に分けて設置された碍子列を所定間隔毎に複数列設置してなる碍子群を洗浄する碍子洗浄装置において、上記各碍子列毎に対して洗浄水を噴射して上記各碍子列の碍子を洗浄できる位置に配設した複数のスプレーノズルと、洗浄水タンク内の洗浄水を揚水してスプレーノズル側へ供給するためのポンプ装置と、このポンプ装置と各スプレーノズルとの間に配設している配管に設けている複数の電磁弁と、洗浄水タンクとポンプ装置との間に、電磁弁を介し接続する温水配管とよりなり、上記スプレーノズルからの洗浄水を強風低温時に、洗浄水の洗浄に加えて、全洗浄時間、或いは洗浄時間の一部の時間に温水配管の電磁弁を開き、温水を加えた洗浄運転を行い、碍子の汚染を防止させることを特徴とし、請求項４の発明では、請求項３記載の発明について、ポンプ装置に接続する温水導入配管内に、温水流量を調整する流量調整弁を設けることを特徴とする。
【０００９】
更に、請求項５記載の発明では、複数段に分けて設置された碍子列を所定間隔毎に複数列設置してなる碍子群を洗浄する碍子洗浄装置において、上記各碍子列毎に対して洗浄水を噴射して上記各碍子列の碍子を洗浄できる位置に配設した複数のスプレーノズルと、洗浄水タンク内の洗浄水を揚水してスプレーノズル側へ供給するためのポンプ装置と、このポンプ装置と各スプレーノズルとの間に配設している配管に設けている複数の電磁弁と、ポンプ装置より各スプレーノズル側の配管の適宜位置に、電磁弁を介し接続する圧縮空気導入配管とよりなり、上記スプレーノズルからの洗浄水を強風低温時に、碍子の洗浄工程終了時に圧縮空気導入配管から圧縮空気を管内に導入し、各スプレーノズルより圧縮空気を排出させることを特徴とする。
【発明の効果】
【００１０】
本発明の碍子洗浄装置では、上記各碍子列毎に対して洗浄水を、スプレーノズルからの洗浄水を強風低温時に、洗浄間隔を短時間に連続的に運転を行い洗浄することで、碍子の汚染の防止と凍結防止を図ることが出来る。また碍子列毎に対して洗浄水を、スプレーノズルからの洗浄水を強風低温時に、洗浄水の洗浄に加えて、全洗浄時間、或いは洗浄時間の一部の時間に温水を加えた洗浄運転を行い洗浄することができ、碍子及びスプレーノズルの温度上昇を図ることが出来凍結防止を図ることが出来る。更に、ポンプ装置に接続する温水導入配管内に、温水流量を調整する流量調整弁を設けることで、外気温に適した温度の洗浄水をスプレーノズルに供給することが出来る。
また、ポンプ装置と各スプレーノズルとの間に、圧縮空気導入配管を設け、洗浄工程終了時に圧縮空気導入配管から圧縮空気を管内に導入し、配管内及び各スプレーノズルに残留している洗浄水を吹き飛ばすことが出来ることより各スプレーノズルの凍結を未然に防止することが出来る。
【発明を実施するための最良の形態】
【００１１】
以下、本発明を実施するための最良の形態を図面に基づいて説明する。
図１は、本発明に係る碍子洗浄装置の第１の実施の形態の系統図の概略の説明図である。
本実施の形態では、複数段に分けて設置された碍子列１０，１１と、上記各碍子列１０，１１毎の洗浄を行う複数のスプレーノズル２０，２１と、洗浄水タンク３内の洗浄水を揚水してスプレーノズル２０，２１側へ供給するためのポンプ装置４０、４１と、このポンプ装置４０，４１と各スプレーノズル２０，２１との間に配管５を介して配設した複数の電磁弁６０，６１、６２，６３と、これらを制御する制御部７が設けられている。
なお、ポンプ装置４０、４１は、原則として交互に使用するか、一方をバックアップとして設けるものであるが、負荷に応じて同時に作動させても良い。
【００１２】
＜碍子列及びスプレーノズル＞
碍子列１０，１１は、実施の形態では２組設けてあり、塩害汚損地区での変電設備に対しての碍子で、この碍子列１０，１１に対し洗浄水が均一に洗浄を行える位置にスプレーノズル２０，２１を配置する。このスプレーノズル２０，２１は、通常塩害汚染地域に使用しているものを用いることが出来る。
なお、上述実施の形態では、２列の碍子列の例を示したが、３以上の碍子列の場合であっても良いことは言うまでもない。
【００１３】
＜洗浄水タンク、ポンプ装置、配管及び電磁弁＞
洗浄タンク３に満たされている洗浄水は、ポンプ装置４０，４１及び電磁弁６０，６１を介し、揚水されて各スプレーノズル２０，２１に配管５を介し供給されれる。この配管５の途中に、複数の碍子列１０，１１に洗浄水を振り分ける複数の電磁弁６２，６３が設けられている。
【００１４】
＜制御部７＞
制御部７で、前記ポンプ装置４０，４１及び電磁弁６０，６１，６２，６３の制御を行う。そして制御の判断資料として、碍子の塩害汚染状況を計測するパイロット碍子７０、気温の測定を行う温度計７１、及び風速及び風向を計測する風速風向計７２の各データに基づきポンプ装置４０，４１及び電磁弁６０，６１，６２，６３の制御を行う。
なお、図中６４は配管５内の洗浄水を排出する為の電磁弁である。
【００１５】
具体的には、翌日から季節風が吹き始める直前に碍子列１０，１１を洗浄し、塩分付着を最小限にする。次いで、季節風が吹き始め碍子に塩分の付着が始まった後は、例えば、パイロット碍子７０に付着した塩分の付着量が０．５８０ｍｇ／ｃｍ２，或いは時間あたりの塩分増加量が０．０４６ｍｇ／ｃｍ２、となった場合に、ポンプ装置４０、電磁弁６０，６２を開きスプレーノズル２０から碍子列１０の洗浄を開始する。洗浄時間は平常時は１分程度であるが、強風時等は２分程度の洗浄を行う等適宜洗浄時間を汚染状況に合わせて変更して、洗浄運転を行う。一方、碍子列１１側は、原則的には、碍子列１０側が休止時に、電磁弁６３を開き、スプレーノズル２１から碍子列１１の洗浄を開始する。
【００１６】
また、洗浄間隔休止期間は、温度計により測定した気温が、０℃以下となった場合には、及び風速が平均１０ｍ／ｓ以上となっている場合には、洗浄間隔休止期間を１〜５分に設定して、運転する。
ここで、上記休止時間を１〜５分としたのは、厳冬期の実験（風速１０ｍ／ｓ、気温０℃）で、１０分以上の休止時間を取ると、スプレーノズル等が凍結してしまうことが判った為、安全を見て最大休止時間を５分としている。ただ、気温が下がると、凍結時間は早くなるが、洗浄水の水温が一般的には５℃程度であり、低温時でも１分程度洗浄を停止しても凍結することがなかったことより、洗浄停止時間を１分以上とした。
【００１７】
次に、図２は、本発明に係る碍子洗浄装置の第２の実施の形態の系統図の概略の説明図である。
この第２の実施の形態では、第１の実施の形態の構成に加え、電磁弁６０，６１と電磁弁６２，６３との間に、通常ポンプ出口配管にて接続する設備とするためポンプ装置４２と電磁弁６５を介し接続する温水配管８０によって、余剰蒸気等を利用した温水装置８１の温水を配管５内に供給する構成である。この構成とすることにより、上記スプレーノズルに供給する洗浄水を強風低温時に、洗浄水の洗浄に加えて、温水配管８０の温水により洗浄水の温度を上昇させることで、スプレーノズル２０，２１の温度を上昇させ凍結防止を図ることが出来る。
なお、温水導入配管内に、温水流量を調整する流量調整弁６６を設け、制御部７から開度を調整することで、配管５内に供給される洗浄水の温度の調整を行い、外気温の変動に併せて洗浄水の温度を適性に保ち、スプレーノズルの凍結を効果的に防止することが出来る。
また、温水の供給は、全洗浄時間のみならず、洗浄開始時等一部の時間であっても良い。これはスプレーノズル２０、２１及び配管の温度上昇を図ることが出来るからである。
【００１８】
また、図３は、本発明に係る碍子洗浄装置の第３の実施の形態の系統図の概略の説明図である。
この第３の実施の形態では、第１の実施の形態の構成に加え、ポンプ装置より各スプレーノズル２０，２１側の配管５の適宜位置に、電磁弁６７を介し接続する圧縮空気導入配管９０とを設ける構成としている。このような構成とすることで、洗浄工程終了時に配管内に残る洗浄水を圧縮空気導入配管９０から供給する圧縮空気で吹き飛ばし、各スプレーノズル２０，２１のノズル付近の水分を飛散させ、各スプレーノズル２０，２１の凍結を防止することが出来る。
【産業上の利用可能性】
【００１９】
本発明の碍子洗浄装置は、主に寒冷地の発電所、開閉所、変電所などの電力施設に於いて、屋外で使用する碍子に利用することができる。
【図面の簡単な説明】
【００２０】
【図１】第１の実施の形態の系統図の概略の説明図である。
【図２】第２の実施の形態の系統図の概略の説明図である。
【図３】第３の実施の形態の系統図の概略の説明図である。
【符号の説明】
【００２１】
１０，１１  碍子列
２０，２１  スプレーノズル
３    洗浄タンク
４    ポンプ装置
５    配管
６０，６１，６２，６３，６４，６５，６７  電磁弁
６６  流量調整弁  
７    制御部
７０  パイロット碍子
７１  温度計
７２  風速風向計
８０  温水配管
８１  余剰蒸気等を利用した温水装置
９０  圧縮空気導入配管
９１  圧縮空気貯槽
【図１】
2007042523.tif 000003
【図２】
2007042523.tif 000004
【図３】
2007042523.tif 000005